(57)【特許請求の範囲】
【請求項１】
プリンターフレームに設けたインキリボンロール供給軸およびインキリボン巻取り軸にインキリボンロールをセットするインキリボンロールのセット位置規制装置であって、
前記プリンターフレームに設けるとともに、その軸方向に沿ってセット位置規制用ラックを形成したガイド軸と、
このガイド軸に沿って移動可能に設けるとともに、前記インキリボンロール供給軸およびインキリボン巻取り軸を嵌挿しているロール位置規制プレートと、
このロール位置規制プレートに沿って摺動可能であるとともに、前記ガイド軸の前記セット位置規制用ラックに係脱可能な係脱爪部を有するレバープレートと、を有し、
前記ガイド軸は、前記インキリボンロール供給軸およびインキリボン巻取り軸の間に設けたことを特徴とするインキリボンロールのセット位置規制装置。
【請求項２】
前記ロール位置規制プレートおよび前記レバープレートは、互いに係脱可能な窓部および爪部を有することを特徴とする請求項１記載のインキリボンロールのセット位置規制装置。
【請求項３】
前記レバープレートは、前記係脱爪部を前記ガイド軸の前記セット位置規制ラックに離脱および係合させるように前記ロール位置規制プレートに対してこれを移動および復帰可能としたことを特徴とする請求項１記載のインキリボンロールのセット位置規制装置。
【発明の詳細な説明】
【０００１】
【発明の属する技術分野】
本発明はインキリボンロールのセット位置規制装置にかかるもので、とくにサーマルプリンターなどに装填されるインキリボンを任意の位置にセット規制することができるインキリボンロールのセット位置規制装置に関するものである。
【０００２】
【従来の技術】
一般にサーマルプリンターは、プラテンローラーとサーマルヘッドとの間にラベルあるいはタグなどの印字媒体およびインキリボンを挟んで移送するとともにこの印字媒体に所定の印字情報を印字するものであるが、これら印字媒体およびインキリボンは、これをロール状として供給することが一般的である。
【０００３】
しかして、このサーマルプリンターに装填する印字媒体およびインキリボンは、印字する情報の種類や量などに応じてその幅が数種類あり、サーマルプリンターへの装填にあたり、プリンターフレームに対してロールを一方（一般には奥側）の壁面に片側に寄せる場合、あるいは移送方向の中央部に位置させる場合などがある。
【０００４】
とくにインキリボンロールをセットする場合に、印字媒体とは異なってそのインキリボンロール供給軸およびインキリボン巻取り軸の両方が必要であるために、それぞれを適正な位置にセットする必要があるが、これらを適正な位置に、一度の操作で容易かつ同時にセットすることが要請されている。
【０００５】
【発明が解決しようとする課題】
本発明は以上のような諸問題にかんがみなされたもので、インキリボンロールのプリンターへのセットにあたり、インキリボンロールをインキリボンロール供給軸およびインキリボン巻取り軸の必要な位置に、一度の操作で同時にセット可能なインキリボンロールのセット位置規制装置を提供することを課題とする。
【０００６】
また本発明は、幅の異なるインキリボンロールをその都度簡単な操作でそのセット位置を規制することができるインキリボンロールのセット位置規制装置を提供することを課題とする。
【０００７】
また本発明は、とくに移送方向の中央部にインキリボンロールを簡単にセットすることができるインキリボンロールのセット位置規制装置を提供することを課題とする。
【０００８】
【課題を解決するための手段】
すなわち本発明は、インキリボンロール供給軸およびインキリボン巻取り軸の軸方向に沿ってロール位置規制プレートを移動セットすること、このロール位置規制プレートに沿って摺動可能なレバープレートを設けること、およびガイド軸に対するロール位置規制プレートの位置決めをレバープレート側で行うことに着目したもので、プリンターフレームに設けたインキリボンロール供給軸およびインキリボン巻取り軸にインキリボンロールをセットするインキリボンロールのセット位置規制装置であって、上記プリンターフレームに設けるとともに、その軸方向に沿ってセット位置規制用ラックを形成したガイド軸と、このガイド軸に沿って移動可能に設けるとともに、上記インキリボンロール供給軸およびインキリボン巻取り軸を嵌挿しているロール位置規制プレートと、このロール位置規制プレートに沿って摺動可能であるとともに、上記ガイド軸の上記セット位置規制用ラックに係脱可能な係脱爪部を有するレバープレートと、を有し、前記ガイド軸は、前記インキリボンロール供給軸およびインキリボン巻取り軸の間に設けたことを特徴とするインキリボンロールのセット位置規制装置である。
【０００９】
上記ガイド軸は、上記インキリボンロール供給軸およびインキリボン巻取り軸の間にこれを設けることにより、上記ロール位置規制プレートおよび上記レバープレートの移動の安定化およびレバープレートの小型化を図ることができる。
また、一度の操作で同時に、かつ平行にその軸方向の位置を規制した状態で容易にセットすることができる。
【００１０】
上記ロール位置規制プレートおよび上記レバープレートは、互いに係脱可能な窓部および爪部を有することにより、その組付け操作および構成の簡略化、ならびにレバープレートのロール位置規制プレートに対する摺動を確実化することができる。
【００１１】
上記レバープレートは、上記係脱爪部を上記ガイド軸の上記セット位置規制ラックに離脱および係合させるように上記ロール位置規制プレートに対してこれを移動および復帰可能とし、レバープレートのわずかな操作だけでロール位置規制プレートの移動および固定を可能とすることができる。
【００１２】
本発明によるインキリボンロールのセット位置規制装置においては、インキリボンロール供給軸およびインキリボン巻取り軸の軸方向に沿ってロール位置規制プレートを移動可能とするとともに、ガイド軸のセット位置規制用ラックに係脱する係脱爪部を有するレバープレートを設けたので、このレバープレートを操作することにより、すなわち、その係脱爪部をガイド軸のセット位置規制用ラックから離脱させた状態で、ロール規制プレートをインキリボンロール供給軸およびインキリボン巻取り軸の軸方向に沿って移動させることができる。
インキリボンロールの所定のセット位置において、レバープレートの係脱爪部をガイド軸のセット位置規制用ラックに係合させれば、この位置においてロール規制プレートを固定し、このロール規制プレートに当接するようにインキリボンロールをセットすることができる。
【００１３】
したがって、装填すべきインキリボンロールをインキリボンロール供給軸およびインキリボン巻取り軸にインキリボンロールを、一度の操作で同時に、かつ平行にその軸方向の位置を規制した状態でセットすることができ、インキリボンロールの幅が異なる場合にも、容易にそのセット位置規制状態を変更することができる。
【００１４】
【発明の実施の形態】
つぎに本発明の実施の形態によるインキリボンロールのセット位置規制装置について、これを装備したサーマルプリンター１を例に取って図１ないし図１１にもとづき説明する。
図１は、サーマルプリンター１の印字媒体ＰおよびインキリボンＲの下流側から見た概略正面図、図２は、同、概略側面図であって、サーマルプリンター１は、プリンターフレーム２と、サーマルヘッド３と、プラテンローラー４と、インキリボンロール供給軸５およびインキリボン巻取り軸６と、印字媒体ガイド調整機構７と、インキリボンロールのセット位置規制装置８と、を有する。
【００１５】
プリンターフレーム２は、サーマルヘッド３、プラテンローラー４、インキリボンロール供給軸５およびインキリボン巻取り軸６、印字媒体ガイド調整機構７ならびにインキリボンロールのセット位置規制装置８を支持しており、サーマルヘッド３およびプラテンローラー４の間に印字媒体ＰおよびインキリボンＲを挟んで移送するとともに、所定の印字情報を印字する。
【００１６】
インキリボンロール供給軸５およびインキリボン巻取り軸６は、プリンターフレーム２に片持ち式に垂直に、かつ図２に示すように互いに並列させてこれを設け、インキリボンロール供給軸５からインキリボンロールＲを繰り出し、サーマルヘッド３およびプラテンローラー４の部分における印字ののち、印字媒体Ｐとは分離してインキリボン巻取り軸６に巻き取る。
【００１７】
印字媒体ガイド調整機構７は、印字媒体Ｐの幅が異なる場合に、これを調整して適正な通路内をガイドするものであるが、この構成については任意の機構を採用可能である。
【００１８】
本発明によるインキリボンロールのセット位置規制装置８は、上下一対のガイド軸９と、ロール位置規制プレート１０と、レバープレート１１と、を有する。
【００１９】
一対のガイド軸９は、プリンターフレーム２に片持ち式に垂直に、かつインキリボンロール供給軸５およびインキリボン巻取り軸６の間に互いに並列させてこれを設けるとともに、その軸方向に沿ってその上表面に平坦ガイド部１２を形成し、その下表面にセット位置規制用ラック１３を形成してある。
平坦ガイド部１２には、インキリボンＲ（インキリボンロール）のセット規制位置を示すセット位置目盛り１４を設けてある。
【００２０】
ロール位置規制プレート１０は、たとえば合成樹脂製であって、ガイド軸９に沿って移動可能にこれを設けるとともに、インキリボンロール供給軸５を嵌挿している供給軸嵌挿孔１５およびインキリボン巻取り軸６を嵌挿している巻取り軸嵌挿孔１６を形成してあり、したがって、インキリボンロール供給軸５およびインキリボン巻取り軸６に沿っても移動可能となっている。
なお、ロール位置規制プレート１０の表面側にはインキリボンＲのロールの側面に直接当接する円形の供給側当接プレート１７および巻取り側当接プレート１８を設けてある。
【００２１】
図３は、ロール位置規制プレート１０の裏面側（インキリボンＲとは反対側）から見た裏面図、図４は、図３のＩＶ−ＩＶ線断面図であって、ロール位置規制プレート１０の周縁には、周縁リブ１９を所定高さ（深さ）で形成してその内部をレバープレート収容部２０としてある
さらに、ロール位置規制プレート１０には、供給軸嵌挿孔１５および巻取り軸嵌挿孔１６に加えて、ガイド軸９のガイド軸嵌挿孔２１、ガイド軸嵌挿孔２１のそれぞれの左右に一対（上下二対）の貫通窓２２、および貫通窓２２に臨んでいるそれぞれ上下一対の係合爪部２３、２４を形成してある。
なお、ガイド軸嵌挿孔２１を表面側に延長可能なガイド筒部２５を突出形成して、ガイド軸９に沿ったロール位置規制プレート１０の移動を安定化可能としてある。
【００２２】
図５は、レバープレート１１の裏面側（インキリボンＲとは反対側）から見た裏面図、図６は、図５のＶＩ−ＶＩ線断面図、図７は、図５のＶＩＩ−ＶＩＩ線断面図、図８は、図５のＶＩＩＩ−ＶＩＩＩ線断面図であり、レバープレート１１は、たとえば合成樹脂製であって、その矩形状の周縁には、周縁リブ２６を所定高さ（深さ）で形成してレバープレート１１をロール位置規制プレート１０に収容したときにその周縁リブ１９とほぼ同一の、ないしわずかに低い高さとなるようにし、周縁リブ２６の上辺には係脱用レバー２７を形成するとともに、その下辺には係合用板バネ２８をそれぞれ一体形成してある。
【００２３】
さらに、周縁リブ２６により囲んだ内部中央上下部分には、その上部がガイド軸嵌挿孔２１と同径の円形部であってその下部が矩形状のガイド軸嵌挿孔２９を形成し、その下辺に臨んで係合爪部３０を形成してある。
この係合爪部３０は、後述するように、レバープレート１１をロール位置規制プレート１０に対して図中上下に移動させることによってガイド軸９のセット位置規制用ラック１３に係脱する。
【００２４】
とくに図５、図６、および図８に示すように、レバープレート１１のガイド軸嵌挿孔２９の左右にロール位置規制プレート１０の係合爪部２３に対向する位置に上下一対の係合窓３１を、係合爪部２４に対向する位置の周縁リブ２６に上下一対の係合窓３２をそれぞれ形成し、ロール位置規制プレート１０の係合爪部２３、２４を係脱可能としている。
【００２５】
図９は、ロール位置規制プレート１０にレバープレート１１を組み付けるときの裏面図であり、レバープレート１１の摺動面３３（図６、図７、図８）側をロール位置規制プレート１０のレバープレート収容部２０に合わせるとともに、ロール位置規制プレート１０の係合爪部２３をレバープレート１１の係合窓３１にはめ込み、係合爪部２４を係合窓３２に臨ませる。
この状態でロール位置規制プレート１０のガイド軸嵌挿孔２１は、レバープレート１１のガイド軸嵌挿孔２９に対してわずかに左方向にずれている。
【００２６】
図１０は、図９の状態からロール位置規制プレート１０に対してレバープレート１１を図中左方向に移動させ、係合爪部２３が係合窓３１に、係合爪部２４が係合窓３２にそれぞれ係合した状態を示す裏面図であって、この状態ではレバープレート１１の係合爪部３０がガイド軸９のセット位置規制用ラック１３に係合する状態となっている。
また、ロール位置規制プレート１０のガイド軸嵌挿孔２１は、レバープレート１１のガイド軸嵌挿孔２９に対する左右方向の相対位置は一致している。
【００２７】
図１１は、図１０の状態からレバープレート１１の係脱用レバー２７を図中下方向に押し込んだ状態を示す裏面図であって、この押し込み操作により、係合爪部２３が係合窓３１に、かつ係合爪部２４が係合窓３２にそれぞれ係合したままで、レバープレート１１の係合爪部３０がガイド軸嵌挿孔２１に対して下方向に移動し、ガイド軸嵌挿孔２１およびガイド軸嵌挿孔２９を通してガイド軸９を嵌挿することが可能となり、この押し込み状態のままでロール位置規制プレート１０およびレバープレート１１全体をガイド軸９に沿ってその軸方向に移動可能となる。
【００２８】
すなわち、図１０の状態でロール位置規制プレート１０およびレバープレート１１がガイド軸９の所定位置に固定され、図１１の状態でロール位置規制プレート１０およびレバープレート１１はガイド軸９に沿って移動可能となる。
【００２９】
こうした構成のサーマルプリンター１ないしインキリボンロールのセット位置規制装置８において、印字媒体Ｐの幅に応じて印字媒体ガイド調整機構７を調整するとともに、インキリボンＲの幅に応じてインキリボンロールのセット位置規制装置８を操作する。
すなわち、レバープレート１１の係脱用レバー２７を図１中下方に押し込んだままで、ロール位置規制プレート１０およびレバープレート１１の相対位置を図１１の状態として、レバープレート１１の係合爪部３０とガイド軸９のセット位置規制用ラック１３との係合を解除し、ロール位置規制プレート１０およびレバープレート１１をガイド軸９の軸方向に移動可能とする。
ロール位置規制プレート１０におけるガイド筒部２５の先端部をセット位置目盛り１４に合わせて係脱用レバー２７を離すと、係合用板バネ２８の付勢力によってレバープレート１１がロール位置規制プレート１０に対して摺動上昇し、係合爪部３０とセット位置規制用ラック１３との係合状態に復帰させる。
【００３０】
したがって、ロール位置規制プレート１０およびレバープレート１１、ないしは供給側当接プレート１７および巻取り側当接プレート１８がインキリボンＲのロールに当接してインキリボンロール供給軸５およびインキリボン巻取り軸６における軸方向位置を規制し、インキリボンＲの幅にあった位置にこれをセットすることができる。
【００３１】
ロール位置規制プレート１０およびレバープレート１１の位置を変更したい場合には、係脱用レバー２７を押し込んで移動させるだけであるので、インキリボンロール供給軸５およびインキリボン巻取り軸６へのインキリボンＲのセットを一度の操作で同時に、非常に簡単かつ単純な操作で行うことができる。
【００３２】
【発明の効果】
以上のように本発明によれば、ガイド軸に沿って移動するロール位置規制プレートおよびレバープレートを設け、ロール位置規制プレートによってインキリボンロールのセット位置を規制するようにしたので、インキリボンロールをインキリボンロール供給軸およびインキリボン巻取り軸の所定軸方向位置に簡単にかつ同時にセットすることができる。
【図面の簡単な説明】
【図１】本発明の実施の形態によるインキリボンロールのセット位置規制装置８を装備したサーマルプリンター１の印字媒体ＰおよびインキリボンＲの下流側から見た概略正面図である。
【図２】同、概略側面図である。
【図３】同、ロール位置規制プレート１０の裏面側（インキリボンＲとは反対側）から見た裏面図である。
【図４】図３のＩＶ−ＩＶ線断面図である。
【図５】同、レバープレート１１の裏面側（インキリボンＲとは反対側）から見た裏面図である。
【図６】同、図５のＶＩ−ＶＩ線断面図である。
【図７】図５のＶＩＩ−ＶＩＩ線断面図である。
【図８】図５のＶＩＩＩ−ＶＩＩＩ線断面図である。
【図９】同、ロール位置規制プレート１０にレバープレート１１を組み付けるときの裏面図である。
【図１０】図９の状態からロール位置規制プレート１０に対してレバープレート１１を図中左方向に移動させて、係合爪部２３が係合窓３１に、係合爪部２４が係合窓３２にそれぞれ係合した状態を示す裏面図である。
【図１１】図１０の状態からレバープレート１１の係脱用レバー２７を図中下方向に押し込んだ状態を示す裏面図である。
【符号の説明】
１  サーマルプリンター
２  プリンターフレーム
３  サーマルヘッド
４  プラテンローラー
５  インキリボンロール供給軸
６  インキリボン巻取り軸
７  印字媒体ガイド調整機構
８  サーマルプリンター１におけるインキリボンロールのセット位置規制装置（実施の形態）
９  上下一対のガイド軸
１０  ロール位置規制プレート
１１  レバープレート
１２  ガイド軸９の平坦ガイド部
１３  ガイド軸９のセット位置規制用ラック
１４  ガイド軸９のセット位置目盛り
１５  供給軸嵌挿孔
１６  巻取り軸嵌挿孔
１７  供給側当接プレート
１８  巻取り側当接プレート
１９  周縁リブ
２０  レバープレート収容部
２１  上下一対のガイド軸嵌挿孔
２２  二対の貫通窓
２３  上下一対の係合爪部
２４  上下一対の係合爪部
２５  上下一対のガイド筒部
２６  周縁リブ
２７  係脱用レバー
２８  係合用板バネ
２９  上下一対のガイド軸嵌挿孔
３０  上下一対の係合爪部３０
３１  上下一対の係合窓３１
３２  上下一対の係合窓３２
３３  レバープレート１１の摺動面
Ｐ  ラベルあるいはタグなどの印字媒体
Ｒ  印字媒体Ｐのインキリボン（インキリボンロール）
【図１】
0003751100.tif 000002
【図２】
0003751100.tif 000003
【図３】
0003751100.tif 000004
【図４】
0003751100.tif 000005
【図５】
0003751100.tif 000006
【図６】
0003751100.tif 000007
【図７】
0003751100.tif 000008
【図８】
0003751100.tif 000009
【図９】
0003751100.tif 000010
【図１０】
0003751100.tif 000011
【図１１】
0003751100.tif 000012